【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
トナー像を担持する像担持体と、
移動可能であって、前記像担持体からトナー像が１次転写される中間転写体と、
前記中間転写体から記録材にトナー像を２次転写させる２次転写部材と、
前記２次転写部材に転写電圧を印加する転写電源と、
前記中間転写体に残留した残トナーを帯電させる第１の帯電部材と、
前記中間転写体に残留した残トナーを帯電させる第２の帯電部材と、
前記第１の帯電部材と第２の帯電部材のそれぞれに帯電電圧を印加する帯電電源部と、
前記帯電電源部を制御する制御手段と、を備える画像形成装置において、
前記制御手段は、
前記転写電源から前記２次転写部材に第１の転写電圧を印加する第１のモードを実行する場合に、前記帯電電源部を制御して、前記第１、第２の帯電部材にトナーの正規の帯電極性とは逆極性の電圧を印加し、
前記転写電源から前記２次転写部材に前記第１の転写電圧と同じ極性の電圧であって前記第１の転写電圧よりも絶対値が大きい第２の転写電圧を印加する第２のモードを実行する場合に、前記帯電電源部を制御して、前記第１の帯電部材に前記正規の帯電極性の電圧を印加し、前記第２の帯電部材に前記逆極性の電圧を印加することを特徴とする画像形成装置。
【請求項２】
前記中間転写体の回転方向に関して、前記第１の帯電部材は、前記２次転写部材よりも下流側であって、前記第２の帯電部材の上流側に配置されていることを特徴とする請求項１に記載の画像形成装置。
【請求項３】
前記像担持体から前記中間転写体にトナー像を１次転写するための１次転写部材と、前記１次転写部材に電圧を印加する電源と、を備え、
前記制御手段は、前記第１のモードにおいて、前記電源から前記１次転写部材に前記逆極性の電圧を印加することによって、前記帯電電源部から前記第１、第２の帯電部材に前記逆極性の電圧を印加することによって前記逆極性に帯電された残トナーを、前記１次転写が行われている前記像担持体に転移させることを特徴とする請求項１又は２に記載の画像形成装置。
【請求項４】
前記制御手段は、前記第２のモードを実行した後の非画像形成時に、前記第１の帯電部材に前記逆極性の電圧を印加することを特徴とする請求項１乃至３のいずれか１項に記載の画像形成装置。
【請求項５】
前記像担持体から前記中間転写体にトナー像を１次転写するための１次転写部材と、前記１次転写部材に電圧を印加する電源と、を備え、
前記制御手段は、前記第２のモードを実行した後の非画像形成時に、前記電源から前記１次転写部材に前記逆極性の電圧を印加することによって、前記第１の帯電部材に前記逆極性の電圧を印加することによって前記第１の帯電部材から前記中間転写体に移動したトナーを、前記中間転写体から前記像担持体に転移させることを特徴とする請求項４に記載の画像形成装置。
【請求項６】
前記非画像形成時は、単数又は複数の記録材に画像を形成し出力するジョブの全ての画像の形成が終了した後の後回転工程時であることを特徴とする請求項４又は５に記載の画像形成装置。
【請求項７】
前記非画像形成時は、複数の記録材に画像を形成し出力するジョブにおける画像間工程時であることを特徴とする請求項４又は５に記載の画像形成装置。
【請求項８】
前記制御手段は、所定の数の画像を形成するごとに、前記非画像形成時において前記第１の帯電部材に前記逆極性の電圧を印加することを特徴とする請求項７に記載の画像形成装置。
【請求項９】
前記制御手段は、前記第２のモードにおいて前記第１の帯電部材に保持されたトナーの量が所定の量を超えた場合に、前記非画像形成時において前記第１の帯電部材に前記逆極性の電圧を印加することを特徴とする請求項７に記載の画像形成装置。
【請求項１０】
前記第１の転写電圧が設定されている場合の二次転写効率は、前記第２の転写電圧が設定されている場合の二次転写効率よりも高いことを特徴とする請求項１乃至９のいずれか１項に記載の画像形成装置。
【請求項１１】
前記制御手段は、前記２次転写部材の電気抵抗値が所定値未満の場合に、前記第１のモードと前記第２のモードとを選択的に実行させ、前記２次転写部材の電気抵抗値が所定値以上の場合は、前記第１のモードを実行させることを特徴とする請求項１乃至６のいずれか１項に記載の画像形成装置。
【請求項１２】
トナー像を担持する像担持体と、
移動可能であって、前記像担持体からトナー像が１次転写される中間転写体と、
前記中間転写体から記録材にトナー像を２次転写させる２次転写部材と、
前記２次転写部材に転写電圧を印加する転写電源と、
前記中間転写体に残留した残トナーを帯電させる第１の帯電部材と、
前記中間転写体に残留した残トナーを帯電させる第２の帯電部材と、
前記第１の帯電部材と第２の帯電部材のそれぞれに帯電電圧を印加する帯電電源部と、
前記帯電電源部を制御する制御手段と、を備える画像形成装置において、
前記制御手段は、
普通紙モードを実行する場合に、前記帯電電源部を制御して、前記第１、第２の帯電部材にトナーの正規の帯電極性とは逆極性の電圧を印加し、
厚紙モードを実行する場合に、前記帯電電源部を制御して、前記第１の帯電部材に前記正規の帯電極性の電圧を印加し、前記第２の帯電部材に前記逆極性の電圧を印加することを特徴とする画像形成装置。
【請求項１３】
前記制御手段は、前記普通紙モードを実行する場合に、前記転写電源から前記２次転写部材に第１の転写電圧を印加し、前記厚紙モードを実行する場合に、前記転写電源から前記２次転写部材に前記第１の転写電圧と同じ極性の電圧であって前記第１の転写電圧よりも絶対値が大きい第２の転写電圧を印加することを特徴とする請求項１２に記載の画像形成装置。
【請求項１４】
前記中間転写体の回転方向に関して、前記第１の帯電部材は、前記２次転写部材よりも下流側であって、前記第２の帯電部材の上流側に配置されていることを特徴とする請求項１２又は１３に記載の画像形成装置。
【請求項１５】
前記制御手段は、前記厚紙モードを実行した後の非画像形成時に、前記第１の帯電部材に前記逆極性の電圧を印加することを特徴とする請求項１２乃至１４のいずれか１項に記載の画像形成装置。
【請求項１６】
前記像担持体から前記中間転写体にトナー像を１次転写するための１次転写部材と、前記１次転写部材に電圧を印加する電源と、を備え、
前記制御手段は、前記厚紙モードを実行した後の非画像形成時に、前記電源から前記１次転写部材に前記逆極性の電圧を印加することによって、前記第１の帯電部材に前記逆極性の電圧を印加することによって前記第１の帯電部材から前記中間転写体に移動したトナーを、前記中間転写体から前記像担持体に転移させることを特徴とする請求項１５に記載の画像形成装置。
【請求項１７】
前記非画像形成時は、単数又は複数の記録材に画像を形成し出力するジョブの全ての画像の形成が終了した後の後回転工程時であることを特徴とする請求項１５又は１６に記載の画像形成装置。
【請求項１８】
前記非画像形成時は、複数の記録材に画像を形成し出力するジョブにおける画像間工程時であることを特徴とする請求項１５又は１６に記載の画像形成装置。
【請求項１９】
トナー像を担持する像担持体と、
前記像担持体から１次転写されたトナー像を記録材に２次転写するために搬送する移動可能な中間転写体と、
２次転写電圧が印加されて前記中間転写体から記録材にトナー像を２次転写させる２次転写部材と、
前記２次転写の後に前記中間転写体に残留した残トナーを帯電させることが可能な、第１の帯電部材、及び前記中間転写体の移動方向において前記第１の帯電部材よりも下流側に配置された第２の帯電部材と、
前記第１、第２の帯電部材に電圧を印加する電源と、
前記電源を制御する制御手段と、
を有し、前記制御手段は、
前記２次転写部材の電気抵抗値が所定値以上の場合に、前記電源により前記第１、第２の帯電部材にトナーの正規の帯電極性とは逆極性の電圧を印加し、前記第１、第２の帯電部材により正規の帯電極性とは逆極性に帯電された残トナーを前記１次転写が行われている前記像担持体に転移させる第１のモードと、
前記２次転写部材の電気抵抗値が前記所定値未満の場合に、前記電源により前記第１、第２の帯電部材に互いに異なる極性の電圧を印加し、前記第１、第２の帯電部材のうち、トナーの正規の帯電極性と同極性の電圧が印加された方に残トナーの少なくとも一部を回収して保持すると共に、トナーの正規の帯電極性とは逆極性の電圧が印加された方により正規の帯電極性とは逆極性に帯電された残トナーを前記１次転写が行われている前記像担持体に転移させる第２のモードと、
を選択的に実行させることを特徴とする画像形成装置。
【手続補正２】
【補正対象書類名】明細書
【補正対象項目名】００１２
【補正方法】変更
【補正の内容】
【００１２】
上記目的は本発明に係る画像形成装置にて達成される。要約すれば、本発明の代表的な構成は、トナー像を担持する像担持体と、移動可能であって、前記像担持体からトナー像が１次転写される中間転写体と、前記中間転写体から記録材にトナー像を２次転写させる２次転写部材と、前記２次転写部材に転写電圧を印加する転写電源と、前記中間転写体に残留した残トナーを帯電させる第１の帯電部材と、前記中間転写体に残留した残トナーを帯電させる第２の帯電部材と、前記第１の帯電部材と第２の帯電部材のそれぞれに帯電電圧を印加する帯電電源部と、前記帯電電源部を制御する制御手段と、を備える画像形成装置において、前記制御手段は、前記転写電源から前記２次転写部材に第１の転写電圧を印加する第１のモードを実行する場合に、前記帯電電源部を制御して、前記第１、第２の帯電部材にトナーの正規の帯電極性とは逆極性の電圧を印加し、前記転写電源から前記２次転写部材に前記第１の転写電圧と同じ極性の電圧であって前記第１の転写電圧よりも絶対値が大きい第２の転写電圧を印加する第２のモードを実行する場合に、前記帯電電源部を制御して、前記第１の帯電部材に前記正規の帯電極性の電圧を印加し、前記第２の帯電部材に前記逆極性の電圧を印加することを特徴とする画像形成装置である。
【手続補正３】
【補正対象書類名】明細書
【補正対象項目名】００２６
【補正方法】変更
【補正の内容】
【００２６】
また、本実施例では、画像形成装置１０の装置本体に設けられた制御手段としての制御部（ＣＰＵ）１１が、記憶部（メモリー）に記憶されたプログラムに従って、画像形成装置１０の各部の動作を統括的に制御する。特に、本実施例との関係では、制御部１１は、後述するクリーニング電源（帯電電源部）５１、５２の出力の極性の切り替えを制御して、クリーニング動作のモードの制御を行う。